(57)【要約】【課題】１辺が綴じられた原稿の綴じ部に負担をかけずに、なおかつ、鮮明な画像の読み取りを行うことのできるスキャナ装置を提供する。【解決手段】本体１が２つの斜面で構成されておりこれらの面それぞれに読み取り窓３が設けられており、これらの本体１内側を読み取り窓３に沿って走行する走行ユニット４、５があり、これらそれぞれに光学ユニット７が備えられ、ともに走行することで、読み取り窓３の本体１外側にある被読み取り物２の画像を読み取るようになっている。【選択図】  図３
2006303864.tif 000002
【特許請求の範囲】
【請求項１】
２つの斜面が山形に連結された読み取り部を備え、この斜面に透明板で構成された読み取り窓があるとともに、読み取り窓の内側面に沿って走行し、読み取り窓の外側面上にセットされた被読取物へ走査光を照射する投光部と、この投光部から照射された走査光が被読取物に反射された反射光を受光する受光部とを備えた光学ユニットを設け、さらに、受光部で受光された反射光を電気信号に変換する光電変換ユニットを有し、被読み取り物の表面に表示された画像に相当する画像データを光電変換ユニットから出力するスキャナ装置において、
前記読み取り窓および光学ユニットを、前記２つの斜面の各々に設けたことを特徴とするスキャナ装置。
【請求項２】
前記光学ユニットは、斜面の傾斜方向に沿って走行することを特徴とする請求項１に記載のスキャナ装置。
【請求項３】
前記２つの斜面が相互に接合する稜線が水平かつ最上部に位置するように設置し、２つの光学ユニットの一方が走行範囲の最上端を出発点とし、他方の光学ユニットが走行範囲の最下端を出発点として、両光学ユニットを同時に、かつ同速で走行させることを特徴とする請求項２に記載のスキャナ装置。
【請求項４】
前記光電変換ユニットは前記光学ユニットの各々について設けられており、かつ、光電変換ユニットは光学ユニットとともに読み取り窓に沿って走行することを特徴とする、請求項１から請求項３のいすれかに記載のスキャナ装置。
【請求項５】
前記光電変換ユニットを光学ユニットの受光部として機能させ、被読み取り物で反射した反射光を光電変換ユニットに直接受光させるようにしたことを特徴とする、請求項１から請求項４のいずれかに記載のスキャナ装置。
【請求項６】
前記光電変換ユニットは移動しないように固定されており、前記光学ユニットの受光部で受光された反射光を光電変換ユニットに導く光ガイド手段を設けたことを特徴とする、請求項１から請求項３のいずれかに記載のスキャナ装置。
【請求項７】
前記光ガイド手段は複数本の光ファイバが束ねられた光ファイバ束で構成されていることを特徴とする請求項６に記載のスキャナ装置。
【発明の詳細な説明】
【技術分野】
【０００１】
この発明は、透明な読取窓を有する本体とこの読取窓に沿って走行する走査光を投光する投光部と、被読み取り物である原稿で反射した反射光を受光する受光部とからなる光学ユニットとを備えた、一般にフラットベッド型と呼ばれるスキャナ装置に関するもので、特に透明窓を含む本体構造に特徴があり、一辺が綴じられた書籍の頁をスキャンするのに特に好適なものに関するものである。
【背景技術】
【０００２】
従来のスキャナ装置のうち、フラットベッド型と呼ばれるものは、原稿台となる透明な読取窓を備えており、この読取窓に沿って光学ユニットが走行する。光学ユニットから発せられた走査光を被読み取り物に照射し、読取窓上にセットされた被読取物で反射させ、光を電気信号に変える変換ユニットに被読取物で反射された走査光を受光させることにより画像の読み取りを可能としている。
【０００３】
このようなフラットベッド型のスキャナ装置は、四角い箱型の本体の上面に透明な読取窓が水平に設けてあり、被読取物である原稿をその読取窓の上に乗せて原稿の表面に表示された文字や図形を画像として読み取るようになっている。このような構造のスキャナ装置は、一枚一枚分かれている形の原稿を読み取る場合には都合が良いが、書籍などのように１辺が綴じられている形の原稿を読み取ろうとすると、読み取ろうとするページを１８０度開き、しかも綴られている背の部分を強く読取窓に押さえつけて原稿が読取窓から浮き上がらないようにしなければならない。このようにすると書籍などの綴じ部をいためてしまい、また、どれだけ強く押さえつけても、その綴じられた部分の画像のゆがみや読取不良を防ぐことはできない。
【０００４】
また、このような不具合を改善しようとしたスキャナ装置として、本体を２つの斜面が山形に連結された形状にして、この２つの斜面の一方に読取窓を設けることにより、書籍のように綴じられた形の原稿を１８０度まで開くことなく読み取ることを可能としたものがある（例えば、特許文献１参照）。
【特許文献１】特開平１１−４１３９３号公報
【発明の開示】
【発明が解決しようとする課題】
【０００５】
前記公報に記載のスキャナ装置では、書籍を読み取ろうとしたとき見開きの２ページのうち、同時には片側１ページしか読み取ることができない。そのため、この従来のスキャナ装置では見開きの２ページの双方を読み取ろうとしたとき、見開きの片側のページを読み取ったあと、どうしても、一度読み取り窓から書籍をはずし、書籍の姿勢を反転させた後にもう一度原稿台にその書籍を載せるという作業を行わなければならない。このような作業を行うと、見開きの片面ともう片面とで読み取った結果が上下反転してしまい、しかも、見開きの２ページを読み取るために２回原稿台に載せたりはずしたりするため、いくら、原稿の開く角度が浅くなったといっても、書籍の傷みは増してしまう。
【０００６】
そこで本発明は、上記の問題点に鑑み、書籍などの、一辺が綴じられた複数枚からなる原稿を読み取るのに特に好適なスキャナ装置を得ることを課題としており、書籍の見開きの同時読み取りや、厚い書籍を読み取る際のその綴じ辺の痛みや、綴じ辺近くの読取不良を生じることなく正確に読み取ることを可能とするスキャナ装置を提供することを課題とする。
【課題を解決するための手段】
【０００７】
上記課題を解決するために本発明は、２つの斜面が山形に連結された読取部を備え、この斜面に透明版で構成された読取窓があるとともに、内側面に沿って走行し、読取窓の外側面上にセットされた被読取物への走査光を照射する投光部と、この投光部から照射された走査光が被読取物に反射された後の光を受光する受光部を備えた光学ユニットをもうけ、さらに、受光部で受光された走査光を電気信号に変換する光電変換ユニットを有し、被読取物の表面に表示された画像に相当する画像データを出力するスキャナ装置において、前記読取窓および光学ユニットを、前記２つの斜面の各々に設けたことを特徴とするものである。
【０００８】
また、請求項１に記載のスキャナ装置において、前記光学ユニットは、斜面の傾斜方向に沿って走行することを特徴とするものである。
なお、前記２つの斜面が相互に接合する稜線が水平かつ最上部に位置するように設置し、２つの光学ユニットの一方が走行範囲の最上端を出発点とし、他方の光学ユニットが走行範囲の最下端を出発点として、両光学ユニットを同時に、かつ同速で走行させれば、両川付近の狭くなった部分で両光学ユニットが干渉することを防止でき、装置全体を小型化することができる。
【０００９】
また、請求項１から請求項３のいずれかに記載のスキャナ装置において、前記光電変換ユニットは前記光学ユニットの各々について設けられており、かつ、光電変換ユニットは光学ユニットとともに読取窓に沿って走行することを特徴とするものである。
【００１０】
また、請求項１から請求項４のいずれかに記載のスキャナ装置において、前記光電変換ユニットを光学ユニットの受光部として機能させ、被読取物で反射した走査光を光電変換ユニットに直接受光させるようにしたことを特徴とするものである。
【００１１】
また、請求項１から請求項３のいずれかに記載のスキャナ装置において、前記光電変換ユニットは移動しないように固定されており、前記光学ユニットの受光部で受光された走査光を光電変換ユニットに導く光ガイド手段設けたことを特徴とするものである。
【００１２】
また、請求項６記載のスキャナ装置において、前記光ガイド手段は複数本からなる光ファイバが束ねられた光ファイバ束で構成されていることを特徴とするものである。
【発明の効果】
【００１３】
以上の説明から明らかなように、本発明を用いることで、書籍などの一辺が綴じられた複数枚からなる原稿を読み取る際に、原稿の見開きの同時読み取りや、厚い書籍を読み取る際のその綴じ辺の痛みや、綴じ辺近くの読取不良を生じることなく正確に読み取ることを可能とするスキャナ装置を得ることができる。
【発明を実施するための最良の形態】
【００１４】
本発明の第１の実施の形態を図１から図５を用いて説明する。ここで、図１は本発明であるスキャナ装置の使用中の図、図２は同スキャナ装置の外観図、図３は同スキャナ装置の正面断面図、図４は同スキャナ装置の側面図、図５は光電変換ユニットと光学ユニットが一体化された走行ユニットの図である。
【００１５】
図１に示すように、２つの斜面を持つ山形の本体１上部に、被読み取り物２をかぶせるようにセットすることで、両面を１度に読み取るようになっている。
【００１６】
図２に示すように、前記の本体１の２つの斜面それぞれに読み取り窓３を備え、それら２つの窓が、斜面の交わるところで結合することで被読み取り物２の綴じ部を読み取ることができるようになっている。
【００１７】
図３および図４に示すように、前記本体１の２つの斜面の本体内側に走行ユニット４、５が置かれ、走行ユニット４、５がガイドレール用軸８によってガイドレール９に沿って走行するようになっている。このガイドレールは、本体１の斜面に平行についているため、走行ユニット４、５がスキャナ装置の本体１側面の読み取り窓３がない面が地面につくようにおいた際に走行ユニット４，５が上下方向に動くので、走行ユニット４、５に重力が常に作用してベルト１０などのバックラッシの影響を最小限とすることができる。そして、走行ユニット４、５にベルト１０が取り付けられ、ベルト１０がベルトガイド１１、モーター軸１３、にかけられており、モーター１２が回ることで、走行ユニット４、５は読み取り窓３の２つの斜面それぞれに沿って動く。２つの走行ユニット４、５の片方のユニットが最下端にあるとき、もう片方のユニットが最上端にある。そして、最下端にあるユニットが上昇を始めると同時に最上端にあるユニットが下降を始める。このような駆動方法とすることで、走行ユニット４，５同士の上端での干渉問題を軽減することができる。そのため、干渉の問題をなくすためには装置を大型化して干渉をなくしていたものが、これをしなくてよくなるから装置の小型化を図ることができる。また、このときの読み取り時間は、被読み取り物２の一面を読み取る時間と等しいから、読み取り時間の短縮を図ることもできる。動きながら光学ユニット７から照射された走査光が被読み取り物２に反射し、その反射光を光電変換ユニット６で受け取ることで、被読み取り物２の画像を、被読み取り物２を痛めることなく読み取ることができる。
【００１８】
図５に示すように、走行ユニット４、５が読み取り窓３に沿って走行する際に読み取り窓３に平行となる走行ユニット４、５の１辺に、光電変換ユニット６と、光学ユニット７を備えている。光電変換ユニット６と光学ユニット７が一体となって上下することにより、受光ユニットをもうけずに直接反射光を光電変換ユニットに入光させることができるので、装置の簡素化を図ることができる。  
【００１９】
本発明の第２の実施の形態を図６を用いて説明する。
【００２０】
図６に示すように、光電変換ユニット６が本体下部にあり、光電変換ユニット６に対して、複数本の光ファイバで構成される光ガイド部を介して光学ユニット７が接続されており、光学ユニット７が走行ユニット４、５内部にあり、光学ユニット７が走行ユニット４、５とともに走行する。光学ユニット７は投光部からの光と、投光部から照射された走査光が被読み取り物２に反射した後の反射光とを、光ガイド部に導くためのプリズムとなっており、反射光は光ガイド部のもう一方端に備えられている光電変換ユニット６へと導かれる。そのため、投光部からの走査光が被読み取り物２に反射して、この反射光が光電変換ユニット６の受光部へと導かれるので、被読み取り物２の画像を読み取ることができる。光電変換ユニット６が固定されることで、走行ユニット４、５には光学ユニット７しかないため、走行ユニット４、５が小型となる。このため走行ユニット４、５間の干渉の問題をなくすことが可能となる。また、走行ユニット４、５が小型なためこれを駆動する駆動系ユニットの能力が低くてもかまわない。走行ユニット４、５が簡素となったため、周辺のユニット類も小型となる。そのため、スキャナ装置自体の小型化と簡素化が可能となる。
【図面の簡単な説明】
【００２１】
【図１】スキャナ装置の使用中の図
【図２】スキャナ装置の外観図
【図３】スキャナ装置の正面断面図
【図４】スキャナ装置の側面図
【図５】光電変換ユニットと光学ユニットが一体化された走行ユニットの図
【図６】第２の実施の形態の構成を示す図
【符号の説明】
【００２２】
１    本体
２    被読み取り物
３    読み取り窓
４、５  走行ユニット
６    光電変換ユニット
７    光学ユニット
８    ガイドレール用軸
９    ガイドレール
１０  ベルト
１１  ベルトガイド
１２  モーター
１３  モーター軸
【図１】
2006303864.tif 000003
【図２】
2006303864.tif 000004
【図３】
2006303864.tif 000005
【図４】
2006303864.tif 000006
【図５】
2006303864.tif 000007
【図６】
2006303864.tif 000008
【手続補正書】
【提出日】平成17年10月20日(2005.10.20)
【手続補正１】
【補正対象書類名】特許請求の範囲
【補正対象項目名】全文
【補正方法】変更
【補正の内容】
【特許請求の範囲】
【請求項１】
２つの斜面が山形に連結された読み取り部を備え、この斜面に透明板で構成された読み取り窓があるとともに、読み取り窓の内側面に沿って走行し、読み取り窓の外側面上にセットされた被読取物へ走査光を照射する投光部と、この投光部から照射された走査光が被読取物に反射された反射光を受光する受光部とを備えた光学ユニットを設け、さらに、受光部で受光された反射光を電気信号に変換する光電変換ユニットを有し、被読み取り物の表面に表示された画像に相当する画像データを光電変換ユニットから出力するスキャナ装置において、
２つの斜面の成す角度を鋭角にすると共に、前記読み取り窓および光学ユニットを、前記２つの斜面の各々に設け、光学ユニットを斜面の傾斜方向に沿って走行させ、かつ前記２つの斜面が相互に接合する稜線が水平かつ最上部に位置するように設置し、光学ユニットの走行をガイドするために光学ユニットに設けた軸よりも光電変換ユニットを上方へ張り出させ、２つの光学ユニットの一方が走行範囲の最上端を出発点とし、他方の光学ユニットが走行範囲の最下端を出発点として、両光学ユニットを同時に、かつ同速で走行させたことを特徴とするスキャナ装置。
【請求項２】
前記光電変換ユニットを光学ユニットの受光部として機能させ、被読み取り物で反射した反射光を光電変換ユニットに直接受光させるようにしたことを特徴とする、請求項１に記載のスキャナ装置。
【手続補正２】
【補正対象書類名】明細書
【補正対象項目名】０００７
【補正方法】変更
【補正の内容】
【０００７】
上記課題を解決するために本発明は、２つの斜面が山形に連結された読み取り部を備え、この斜面に透明板で構成された読み取り窓があるとともに、読み取り窓の内側面に沿って走行し、読み取り窓の外側面上にセットされた被読取物へ走査光を照射する投光部と、この投光部から照射された走査光が被読取物に反射された反射光を受光する受光部とを備えた光学ユニットを設け、さらに、受光部で受光された反射光を電気信号に変換する光電変換ユニットを有し、被読み取り物の表面に表示された画像に相当する画像データを光電変換ユニットから出力するスキャナ装置において、２つの斜面の成す角度を鋭角にすると共に、前記読み取り窓および光学ユニットを、前記２つの斜面の各々に設け、光学ユニットを斜面の傾斜方向に沿って走行させ、かつ前記２つの斜面が相互に接合する稜線が水平かつ最上部に位置するように設置し、光学ユニットの走行をガイドするために光学ユニットに設けた軸よりも光電変換ユニットを上方へ張り出させ、２つの光学ユニットの一方が走行範囲の最上端を出発点とし、他方の光学ユニットが走行範囲の最下端を出発点として、両光学ユニットを同時に、かつ同速で走行させたことを特徴とするものである。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
また、請求項１に記載のスキャナ装置において、前記光電変換ユニットを光学ユニットの受光部として機能させ、被読取物で反射した走査光を光電変換ユニットに直接受光させるようにしたことを特徴とするものである。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正書】
【提出日】平成18年2月8日(2006.2.8)
【手続補正１】
【補正対象書類名】特許請求の範囲
【補正対象項目名】全文
【補正方法】変更
【補正の内容】
【特許請求の範囲】
【請求項１】
２つの斜面が山形に連結された読み取り部を備え、この斜面に透明板で構成された読み取り窓があるとともに、読み取り窓の内側面に沿って走行し、読み取り窓の外側面上にセットされた被読取物へ走査光を照射する光学ユニットと、この光学ユニットから照射された走査光が被読取物に反射された反射光を受光し電気信号に変換する光電変換ユニットとを備えた走行ユニットを有し、被読み取り物の表面に表示された画像に相当する画像データを光電変換ユニットから出力するスキャナ装置において、
２つの斜面の成す角度を鋭角にすると共に、前記読み取り窓および走行ユニットを、前記２つの斜面の各々に設け、走行ユニットを斜面の傾斜方向に沿って走行させ、かつ前記２つの斜面が相互に接合する稜線が水平かつ最上部に位置するように設置し、走行ユニットの走行をガイドするために走行ユニットに設けた軸よりも光電変換ユニットを上方へ張り出させ、２つの走行ユニットの一方が走行範囲の最上端を出発点とし、他方の走行ユニットが走行範囲の最下端を出発点として、両走行ユニットを同時に、かつ同速で走行させたことを特徴とするスキャナ装置。
【手続補正２】
【補正対象書類名】明細書
【補正対象項目名】０００７
【補正方法】変更
【補正の内容】
【０００７】
上記課題を解決するために本発明は、２つの斜面が山形に連結された読み取り部を備え、この斜面に透明板で構成された読み取り窓があるとともに、読み取り窓の内側面に沿って走行し、読み取り窓の外側面上にセットされた被読取物へ走査光を照射する光学ユニットと、この光学ユニットから照射された走査光が被読取物に反射された反射光を受光し電気信号に変換する光電変換ユニットとを備えた走行ユニットを有し、被読み取り物の表面に表示された画像に相当する画像データを光電変換ユニットから出力するスキャナ装置において、２つの斜面の成す角度を鋭角にすると共に、前記読み取り窓および走行ユニットを、前記２つの斜面の各々に設け、走行ユニットを斜面の傾斜方向に沿って走行させ、かつ前記２つの斜面が相互に接合する稜線が水平かつ最上部に位置するように設置し、走行ユニットの走行をガイドするために走行ユニットに設けた軸よりも光電変換ユニットを上方へ張り出させ、２つの走行ユニットの一方が走行範囲の最上端を出発点とし、他方の走行ユニットが走行範囲の最下端を出発点として、両走行ユニットを同時に、かつ同速で走行させたことを特徴とするものである。
【手続補正３】
【補正対象書類名】明細書
【補正対象項目名】００１０
【補正方法】削除
【補正の内容】